(57)【要約】      （修正有）【課題】計時器用の回転アセンブリーにおいて、弾性ワッシャーを用いて合計厚みを薄くする。【解決手段】２つのベアリング３３、３４、の間で回転自在にマウントされているアーバー３２と、及びアーバー３２の肩部４４と弾性ワッシャー４２の間にマウントされているメンバー４１とを有する回転アセンブリー３１に関し、２つのベアリング３３、３４の少なくとも１つは、制限用止め部４５を有し、この制限用止め部４５は、弾性ワッシャー４２と直接接触して、アーバー、３２と２つのベアリング３３、３４の間の相対的運動を制限するように構成する。【選択図】図３
2016166869.tif 000002
【特許請求の範囲】
【請求項１】
２つのベアリング（１３、１４、３３、３４、５３、５４）の間で回転自在にマウントされているアーバー（１２、３２、５２）と、少なくとも１つの弾性ワッシャー（２２、４２、６２）に支援されて前記アーバー（１２、３２、５２）にマウントされているメンバー（４１）とを有する回転アセンブリー（１１、３１、５１）であって、
前記２つのベアリング（１３、１４、３３、３４、５３、５４）の少なくとも１つは、制限用止め部（２５、４５、６５）を有し、この制限用止め部は、前記少なくとも１つの弾性ワッシャー（２２、４２、６２）と直接接触して、前記アーバー（１２、３２、５２）と前記２つのベアリング（１３、１４、３３、３４、５３、５４）の間の相対的運動を制限するように構成していることを特徴とする回転アセンブリー（１１、３１、５１）。
【請求項２】
前記メンバーは、前記アーバー（１２、３２、５２）の肩部（４４）と前記少なくとも１つの弾性ワッシャーとの間でマウントされていることを特徴とする請求項１に記載の回転アセンブリー（１１、３１、５１）。
【請求項３】
前記メンバーは、２つの弾性ワッシャー（２２、４２、６２）の間で前記アーバー（１２、３２、５２）にマウントされていることを特徴とする請求項１に記載の回転アセンブリー（１１、３１、５１）。
【請求項４】
前記メンバーは、バランスばねであることを特徴とする請求項１〜３のいずれかに記載の回転アセンブリー（１１、３１、５１）。
【請求項５】
前記アーバー（１２、３２、５２）には、バランスとローラーもマウントされていることを特徴とする請求項４に記載の回転アセンブリー（１１、３１、５１）。
【請求項６】
前記メンバーは、車であることを特徴とする請求項１〜３のいずれかに記載の回転アセンブリー（１１、３１、５１）。
【請求項７】
前記アーバー（１２、３２、５２）には、ピニオンもマウントされていることを特徴とする請求項６に記載の回転アセンブリー（１１、３１、５１）。
【請求項８】
前記メンバーは、パレット又は移動止めであることを特徴とする請求項１〜３のいずれかに記載の回転アセンブリー（１１、３１、５１）。
【請求項９】
前記メンバーは、メインばねであることを特徴とする請求項１〜３のいずれかに記載の回転アセンブリー（１１、３１、５１）。
【請求項１０】
前記メンバーは、バランスであることを特徴とする請求項１〜３のいずれかに記載の回転アセンブリー（１１、３１、５１）。
【請求項１１】
前記２つのベアリング（１３、１４、３３、３４、５３、５４）はそれぞれ、少なくとも１つのジュエル（１７、１８、３７、３７’、３８、３８’、５７、５７’、５８、５８’）を有し、これらは、前記アーバー（１２、３２、５２）の各端に形成されたピボット軸（１９、２０、３９、４０、５９、６０）を受けるように構成していることを特徴とする請求項１〜１０のいずれかに記載の回転アセンブリー。
【請求項１２】
前記少なくとも１つのジュエル（１７、１８、３７、３７’、３８、３８’、５７、５７’、５８、５８’）のそれぞれは、関連づけられたベアリング（１３、１４、３３、３４、５３、５４）に弾性的にマウントされており、これによって、前記アーバー（１２、３２、５２）が受けた衝撃を緩和させることを特徴とする請求項１１に記載の回転アセンブリー（１１、３１、５１）。
【請求項１３】
前記２つのベアリング（１３、１４、３３、３４、５３、５４）は、プレート（１５、３５、５５）とブリッジ（１６、３６、５６）にそれぞれマウントされていることを特徴とする請求項１〜１２のいずれかに記載の回転アセンブリー。
【請求項１４】
請求項１〜１３のいずれかに記載の回転アセンブリー（１１、３１、５１）を少なくとも１つを有することを特徴とする計時器。
【発明の詳細な説明】
【技術分野】
【０００１】
本発明は、計時器用の回転アセンブリーに関し、特に、計時器用の歯車列又は共振器に関する。
【背景技術】
【０００２】
米国特許出願ＵＳ２０１５／０９８３１０及びＵＳ２０１５／０９８３１１は、ワッシャーによってアーバーに弾性的にロックされるバランスばねを開示している。この種の構成によって、バランスばねコレットをアーバーに嵌めて、そして、その接点でバランスばねコレットを接合する必要性を回避している。
【０００３】
しかし、このようなワッシャーを使用すると、薄い厚みのムーブメント内に実装することが不可能となるような合計高さとなる。
【発明の概要】
【発明が解決しようとする課題】
【０００４】
本発明は、米国特許出願ＵＳ２０１５／０９８３１０及びＵＳ２０１５／０９８３１１のいずれかに開示された弾性ワッシャーを用いる回転アセンブリーであって、任意の種類の計時器用ムーブメントに適用することを可能にする合計厚みを有するものを提案することによって、前記課題のすべて又は一部を克服することを目的とする。
【課題を解決するための手段】
【０００５】
このために、本発明は、２つのベアリングの間で回転自在にマウントされているアーバーと、及び少なくとも１つの弾性ワッシャーに支援されて前記アーバーにマウントされているメンバーとを有する回転アセンブリーに関し、前記２つのベアリングの少なくとも１つは、制限用止め部を有し、この制限用止め部は、前記少なくとも１つの弾性ワッシャーと直接接触して、前記アーバーと前記２つのベアリングの間の相対的運動を制限するように構成している。
【０００６】
したがって、少なくとも１つの弾性ワッシャーの使用に起因する分の付加的な高さのすべて又は一部が、アーバーに形成される肩部を前記少なくとも１つの弾性ワッシャーの上側面によって置き換えることによって相殺される。したがって、ベアリングの少なくとも１つの制限用止め部が、弾性ワッシャーに対して直接作用し、アーバーに対しては直接作用しない。これによって、アーバーとそのベアリングの間の相対的運動を制限することができる。
【０００７】
本発明の他の好ましい実施例によると、
−  前記アーバーの肩部と前記少なくとも１つの弾性ワッシャーとの間で前記メンバーがマウントされている。
−  ２つの弾性ワッシャーの間で前記メンバーが前記アーバーにマウントされている。
−  前記メンバーは、バランスばねであり、好ましくは、バランスとローラーもアーバーにマウントされている。
−  前記メンバーは車であり、好ましくは、ピニオンもアーバーにマウントされている。
−  前記メンバーは、パレットレバー、移動止め、メインばね又はバランスである。
−  ２つのベアリングはそれぞれ、前記アーバーの各端に形成されたピボット軸を受けるように構成する少なくとも１つのジュエルを有する。
−  少なくとも１つのジュエルはそれぞれ、その関連づけられたベアリングに弾性的にマウントされており、これによって、アーバーが受けた衝撃を緩和させる。
−  前記２つのベアリングは、プレートとブリッジにそれぞれマウントされている。
【０００８】
また、本発明は、前記変種のいずれかの回転アセンブリーを少なくとも１つ有する計時器に関する。
【０００９】
添付図面を参照しながら以下の説明（例としてのみ示している）を読むことによって、他の特徴及び利点を明確に理解できるであろう。
【図面の簡単な説明】
【００１０】
【図１】弾性ワッシャーを用いる調整メンバーについての断面図である。
【図２】本発明の第１の実施形態についての斜視図である。
【図３】本発明の第２の実施形態についての断面図である。
【図４】本発明の第２の実施形態についての斜視図である。
【図５】本発明の第３の実施形態についての断面図である。
【発明を実施するための形態】
【００１１】
米国特許出願ＵＳ２０１５／０９８３１０及びＵＳ２０１５／０９８３１１（参照によって本明細書に組み入れる）は、アーバーの肩部と弾性ワッシャーとの間で弾性的にロックされているバランスばねを開示している。図１に、このような構成の１つを示している。ブリッジ３とプレート４の間でマウントされたアーバー２で形成された調整メンバー１が示されている。調整メンバー１は、バランスばね５とバランス６を有し、これらは、アーバー２の肩部と弾性ワッシャー７の間でマウントされている。
【００１２】
アーバー２は、さらに、２つの肩部８、８’を有し、そのそれぞれは、ブリッジ３とプレート４にそれぞれマウントされているベアリング９、９’と接触するように意図されている。米国特許出願ＵＳ２０１５／０９８３１０及びＵＳ２０１５／０９８３１１に記載されている構成には弾性ワッシャー７とベアリング９の間に相当な距離が必要であることは明らかである。このために、薄い厚みのムーブメント内において弾性ワッシャー７とベアリング９を実装することが不可能であることがある。
【００１３】
この弾性ワッシャーの付加的な厚みの分を相殺するために、本発明は、２つのベアリングの間で回転自在にマウントされているアーバーと、少なくとも１つの弾性ワッシャーに支援されてアーバーにマウントされたメンバーとを有する回転アセンブリーに関する。好ましいことに、本発明によると、前記２つのベアリングの少なくとも１つは、制限用止め部を有する。これは、前記少なくとも１つの弾性ワッシャーと直接接触して、アーバーとそのベアリングの間の相対的運動を制限するように構成する。
【００１４】
このようにして、弾性ワッシャーの使用に起因する分の付加的な高さのすべて又は一部を、アーバーに特別に形成される肩部を前記少なくとも１つの弾性ワッシャーの上側面によって置き換えることで相殺することができることがわかるであろう。したがって、前記ベアリングのうちの少なくとも１つの制限用止め部は、弾性ワッシャーに対して直接作用し、アーバーには直接作用しない。これによって、アーバーとそのベアリングの間の相対的運動が制限される。
【００１５】
また、アーバーは、さらに、少なくとも２つの弾性ワッシャーを有することができ、これらに単一のメンバーを取り付けてもよく、あるいは弾性ワッシャーごとに別個のメンバーをアーバーの別個の肩部に取り付けてもよい。好ましいことに、このことは、２つのベアリングのそれぞれを、アーバーに用いられている弾性ワッシャーのうちの１つと直接接触させて、これによって、回転アセンブリーの高さを最小限にしつつ、アーバーとそのベアリングの間の相対的運動を制限することができることを意味する。
【００１６】
本発明をよく理解するために、図２は、歯車列タイプの回転アセンブリーを形成する第１の実施形態に関する。回転アセンブリー１１は、プレート１５とブリッジ１６にそれぞれマウントされている２つのベアリング１３、１４の間で回転自在にマウントされているアーバー１２を有する。図２に示す例では、ベアリング１３、１４はそれぞれ、ジュエルないしジュエルホール１７、１８を有し、これは、アーバー１２の各端にて形成されたピボット軸１９、２０を受けるように構成している。
【００１７】
図２に示すように、アーバー１２の肩部と弾性ワッシャー２２の間で、車２１を形成するメンバーがマウントされている。また、アーバー１２が車２１の下にピニオン２３を有することがわかる。好ましいことに、本発明によれば、２つのベアリング１３、１４の少なくとも１つは、制限用止め部２５を有し、これは、弾性ワッシャー２２と直接接触して、アーバー１２とそのベアリング１３、１４の間の相対的運動を制限するように構成している。
【００１８】
図３及び４に示した第２の実施形態は、本発明に係る制限用止め部を詳しく示している。したがって、図３及び４は、回転する共振器タイプの回転アセンブリーを形成する第２の実施形態に関する。回転アセンブリー３１は、アーバー３２を有し、これは、プレート３５とブリッジ３６内にてそれぞれマウントされている２つのベアリング３３、３４の間で回転自在にマウントされている。図３に示す例では、ベアリング３３、３４はそれぞれ、少なくとも１つのジュエルないしジュエル穴３７、３８、好ましくは、ジュエル３７、３８−受け石３７’、３８’のアセンブリーを有しており、これは、アーバー３２の各端にて形成されたピボット軸３９、４０を受けるように構成している。
【００１９】
図３及び４に示すように、アーバー３２の肩部４４と弾性ワッシャー４２の間に、バランスばねを形成するメンバー４１がマウントされている。また、アーバー３２が、バランス４３と、インパルスピン４７を備えるローラー４６とを有することがわかる。好ましいことに、本発明によると、２つのベアリング３３、３４の少なくとも１つは、制限用止め部４５を有し、これは、弾性ワッシャー４２と直接接触して、アーバー３２とそのベアリング３３、３４の間の相対的運動を制限するように構成する。
【００２０】
図３に示すように、少なくとも１つのジュエル３７、３８、好ましくは、ジュエル３７、３８−受け石３７’、３８’のアセンブリーはそれぞれ、その関連づけられたベアリング３３、３４に弾性的にマウントされており、これによって、アーバー３２が受けた衝撃を緩和させるように構成している。図３の例では、リラ（ｌｙｒｅ）形のばね４８、４９によって弾性が与えられ、これはそれぞれ、プレート３５と受け石３７’の間、そしてブリッジ３６と受け石３８の間でマウントされている。
【００２１】
図５は、第２の実施形態に対する代替的な共振器タイプの回転アセンブリーを形成している第３の実施形態に関する。回転アセンブリー５１は、アーバー５２を有しており、これは、プレート５５とブリッジ５６にそれぞれマウントされている２つのベアリング５３、５４の間で回転自在にマウントされている。図５に示す例では、ベアリング５３、５４はそれぞれ、少なくとも１つのジュエルないしジュエル穴５７、５８、好ましくは、ジュエル５７、５８−受け石５７’、５８’のアセンブリーを有し、これは、アーバー５２の各端に形成されているピボット軸５９、６０を受けるように構成している。
【００２２】
図５に示すように、バランス６３を介してアーバー５２の肩部と弾性ワッシャー６２との間に、バランスばね６１を形成するメンバーがマウントされている。また、アーバー５２がインパルスピンを備えるローラー６６を有することがわかる。好ましいことに、本発明によると、２つのベアリング５３、５４の少なくとも１つは、制限用止め部６５を有し、これは、弾性ワッシャー６２と直接接触して、アーバー５２とそのベアリング５３、５４の間の相対的運動を制限するように構成している。
【００２３】
図５に示すように、少なくとも１つのジュエル５７、５８のそれぞれ、好ましくは、ジュエル５７、５８−受け石５７’、５８’のアセンブリーが、その関連づけられたベアリング５３、５４に弾性的にマウントされており、アーバー５２が受けた衝撃を緩和させることがわかる。図５の例では、リラ形のばね６８、６９によって弾性が与えられ、これらは、プレート５５と受け石５７’の間、そしてブリッジ５６と受け石５８の間にてそれぞれマウントされている。
【００２４】
実施形態にかかわらず、弾性ワッシャー２２、４２、６２の使用に起因する分の付加的な高さのすべて又は一部が、アーバー２（図１に示す）に形成される肩部８を弾性ワッシャー２２、４２、６２の上側面によって置き換えることによって相殺されている。したがって、少なくとも１つのベアリング１３、１４、３３、３４、５３、５４の制限用止め部２５、４５、６５は、弾性ワッシャー２２、４２、６２に対して直接作用し、アーバー１２、３２、５２に対しては直接作用しなくなる。これによって、アーバー１２、３２、５２と、そのベアリング１３、１４、３３、３４、５３、５４との間の相対的運動を制限することができる。
【００２５】
もちろん、本発明は、図示した例に制限されず、当業者が思い浮かべる様々な変種及び改変が可能である。具体的には、下に記載したメンバーの代わりに又はそれらのメンバーに加えて、他のメンバーをマウントすることができる。例えば（これに制限されない）、このようなメンバー又は付加的なメンバーは、このようにエスケープレバー、移動止めエスケープ、バレルのメインばね、又は打撃機構、あるいはバランスであることができる。
【００２６】
また、２つの弾性ワッシャーを有するアーバーであって、そのそれぞれがアーバーの一端に別個のメンバーを取り付けて、１つ又は２つのアーバーベアリングの各制限用止め部が、２つの弾性ワッシャーの１つと直接接触して、アーバーとそのベアリングの間の相対的運動を制限するように構成するものを思い描くことができる。
【００２７】
最後に、最後の実施形態において、回転アセンブリーは、さらに、例えば、２つの弾性ワッシャーの間のアーバー（スタッフとも呼ばれる）にマウントされているパレットの少なくとも１つのレバーによって形成されたメンバーを有することができる（これに制限されない）。プレートとブリッジにそれぞれマウントされた２つのベアリングのそれぞれの制限用止め部は、好ましくは、弾性ワッシャーのうちの１つと接触して、アーバーとそのベアリングの間の相対的運動を制限するように構成する。このメンバーは、さらに、パレット石、フォーク及びガードピンを有することができ、これらのそれぞれは、パレットレバーと一体的であることができ、また、単にパレットレバーに固定されることもできる。
【符号の説明】
【００２８】
１１、３１、５１  回転アセンブリー
１２、３２、５２  アーバー
１３、１４、３３、３４、５３、５４  ベアリング
１５、３５、５５  プレート
１６、３６、５６  ブリッジ
１７、１８、３７、３７’、３８、３８’、５７、５７’、５８、５８’  ジュエル
１９、２０、３９、４０、５９、６０  ピボット軸
２２、４２、６２  弾性ワッシャー
２５、４５、６５  制限用止め部
４１  メンバー
４４  肩部
【図１】
2016166869.tif 000003
【図２】
2016166869.tif 000004
【図３】
2016166869.tif 000005
【図４】
2016166869.tif 000006
【図５】
2016166869.tif 000007